(57)【要約】  動作モード適応のためのシステムおよび方法が、ネットワークエンティティと第2のネットワークエンティティとの間のチャネル状態を決定するネットワークエンティティによって動作可能である。ネットワークエンティティは、そのハードウェア制約および消費電力要件を決定する。ネットワークエンティティは、チャネル状態、ハードウェア制約、および消費電力要件に少なくとも部分的に基づいてハードウェア割振りを選択することによって、ネットワークエンティティの消費電力とデータスループットのバランスをとる。いくつかの実装形態では、ネットワークエンティティは、チャネル状態、ハードウェア制約、および消費電力要件に少なくとも部分的に基づいて動作モードを選択することによって、ネットワークエンティティの消費電力とデータスループットのバランスをとる。
2017511644.tif 000002
【特許請求の範囲】
【請求項１】
ネットワークエンティティによって動作可能なワイヤレス通信の方法であって、
前記ネットワークエンティティと第2のネットワークエンティティとの間のチャネル状態を決定するステップと、
前記ネットワークエンティティのハードウェア制約を決定するステップと、
前記ネットワークエンティティの消費電力要件を決定するステップと、
前記チャネル状態、前記ハードウェア制約、および前記消費電力要件に少なくとも部分的に基づいてハードウェア割振りを選択することによって、前記ネットワークエンティティの消費電力とデータスループットのバランスをとるステップと
を含む、方法。
【請求項２】
前記チャネル状態を決定するステップが、前記ネットワークエンティティと前記第2のネットワークエンティティとの間のチャネルについてチャネル容量を決定するステップを含む、請求項1に記載の方法。
【請求項３】
前記チャネル状態を決定するステップが、前記ネットワークエンティティと前記第2のネットワークエンティティとの間のチャネルによってサポートされるチャネルランクを決定するステップを含む、請求項1に記載の方法。
【請求項４】
前記チャネルランクが、前記チャネルによってサポートされることが可能なデータストリームの数に基づく、請求項3に記載の方法。
【請求項５】
前記ハードウェア制約を決定するステップが、前記ネットワークエンティティ用の送信アンテナチェーンの数を決定するステップを含む、請求項1に記載の方法。
【請求項６】
前記ハードウェア制約を決定するステップが、送信アンテナチェーン電力増幅器能力を決定するステップを含む、請求項1に記載の方法。
【請求項７】
消費電力制約を決定するステップが、現在のバッテリーレベルを決定するステップを含む、請求項1に記載の方法。
【請求項８】
複数の送信アンテナチェーンが異なる電力増幅器能力を有すると決定することに応じて、前記ハードウェア割振りを選択するステップが、前記複数の送信アンテナチェーンに等しくない電力レベルを割り振るステップを含む、請求項1に記載の方法。
【請求項９】
前記ハードウェア割振りを選択するステップが、少なくとも1つの送信アンテナチェーンを無効にするステップを含む、請求項1に記載の方法。
【請求項１０】
前記少なくとも1つの送信アンテナチェーンを無効にするステップが、現在のバッテリーレベルが低いと決定することに応じるものである、請求項9に記載の方法。
【請求項１１】
チャネル推定または上位ランクへの切替えのために、無効にされた送信アンテナチェーンを定期的に再び有効にするステップをさらに含む、請求項9に記載の方法。
【請求項１２】
前記ハードウェア割振りを選択するステップが、少なくとも1つの送信アンテナチェーンをWi-Fi使用からロングタームエボリューション(LTE)使用へ再割振りするステップ、または少なくとも1つの送信アンテナチェーンをLTE使用からWi-Fi使用へ再割振りするステップを含む、請求項1に記載の方法。
【請求項１３】
前記ネットワークエンティティがアクセス端末を含む、請求項1に記載の方法。
【請求項１４】
前記ネットワークエンティティがアクセスポイントを含む、請求項1に記載の方法。
【請求項１５】
ネットワークエンティティと第2のネットワークエンティティとの間のチャネル状態を決定するためのコードと、
前記ネットワークエンティティのハードウェア制約を決定するためのコードと、
前記ネットワークエンティティの消費電力要件を決定するためのコードと、
前記チャネル状態、前記ハードウェア制約、および前記消費電力要件に少なくとも部分的に基づいてハードウェア割振りを選択することによって、前記ネットワークエンティティの消費電力とデータスループットのバランスをとるためのコードと
を含む、コンピュータプログラム。
【請求項１６】
前記ハードウェア制約を決定するための前記コードが、送信アンテナチェーン電力増幅器能力を決定するためのコードを含む、請求項15に記載のコンピュータプログラム。
【請求項１７】
複数の送信アンテナチェーンが異なる電力増幅器能力を有すると決定することに応じて、前記ハードウェア割振りを選択するためのコードが、前記複数の送信アンテナチェーンに等しくない電力レベルを割り振るためのコードを含む、請求項15に記載のコンピュータプログラム。
【請求項１８】
前記ハードウェア割振りを選択するための前記コードが、少なくとも1つの送信アンテナチェーンを無効にするためのコードを含む、請求項15に記載のコンピュータプログラム。
【請求項１９】
ネットワークエンティティと第2のネットワークエンティティとの間の通信チャネルについてチャネル状態を決定するための手段と、
前記ネットワークエンティティのハードウェア制約を決定するための手段と、
前記ネットワークエンティティの消費電力要件を決定するための手段と、
前記チャネル状態、前記ハードウェア制約、および前記消費電力要件に少なくとも部分的に基づいて動作モードを選択することによって、前記ネットワークエンティティの消費電力とデータスループットのバランスをとるための手段と
を含む、ワイヤレス通信装置であって、
前記動作モードを選択するステップが、(1)単入力単出力(SISO)モード、単入力多出力(SIMO)モード、または多入力多出力(MIMO)モードのうちの1つを選択するステップと、(2)キャリアアグリゲーション(CA)有効モードまたはCA無効モードのうちの一方を選択するステップとを含む、装置。
【請求項２０】
前記チャネル状態を決定するための手段が、前記ネットワークエンティティと前記第2のネットワークエンティティとの間のチャネルについてチャネル容量を決定するための手段を含む、請求項19に記載の装置。
【請求項２１】
前記チャネル状態を決定するための手段が、前記ネットワークエンティティと前記第2のネットワークエンティティとの間の前記チャネルによってサポートされるチャネルランクを決定するための手段を含む、請求項19に記載の装置。
【請求項２２】
前記ハードウェア制約を決定するための手段が、前記ネットワークエンティティ用の送信アンテナチェーンの数を決定するための手段を含む、請求項19に記載の装置。
【請求項２３】
前記ハードウェア制約を決定するための手段が、送信アンテナチェーン電力増幅器能力を決定するための手段を含む、請求項19に記載の装置。
【請求項２４】
消費電力制約を決定するための手段が、現在のバッテリーレベルを決定するための手段を含む、請求項19に記載の装置。
【請求項２５】
前記動作モードを選択するための手段が、前記チャネル容量をランク1であると決定することに応じて、前記単入力単出力(SISO)モードおよび前記キャリアアグリゲーション(CA)有効モードを選択するための手段を含む、請求項20に記載の装置。
【請求項２６】
前記動作モードを選択するための手段が、前記チャネル容量をランク1よりも大きいと決定することに応じて、前記MIMOモードを選択するための手段を含む、請求項19に記載の装置。
【請求項２７】
前記動作モードを選択するための手段が、前記第2のネットワークエンティティ用の受信アンテナチェーンの数を決定するための手段にさらに基づく、請求項19に記載の装置。
【請求項２８】
前記SISOモード、前記SIMOモード、または前記MIMOモードのうちの1つを選択するための手段が、前記第2のネットワークエンティティ用の受信アンテナチェーンの数を決定するための手段にさらに基づく、請求項19に記載の装置。
【請求項２９】
ネットワークエンティティと第2のネットワークエンティティとの間の通信チャネルについてチャネル状態を決定し、
前記ネットワークエンティティのハードウェア制約を決定し、
前記ネットワークエンティティの消費電力要件を決定し、
前記チャネル状態、前記ハードウェア制約、および前記消費電力要件に少なくとも部分的に基づいて動作モードを選択することによって、前記ネットワークエンティティの消費電力とデータスループットのバランスをとること
ができる少なくとも1つのプロセッサであって、
前記動作モードを選択することが、(1)単入力単出力(SISO)モード、単入力多出力(SIMO)モード、または多入力多出力(MIMO)モードのうちの1つを選択することと、(2)キャリアアグリゲーション(CA)有効モードまたはCA無効モードのうちの一方を選択することとを含む、プロセッサと、
前記第2のネットワークエンティティと通信することができる無線周波数(RF)トランシーバと
を含む、ワイヤレス通信装置。
【請求項３０】
前記動作モードを選択することが、チャネル容量をランク1であると決定することに応じて、前記単入力単出力(SISO)モードおよび前記キャリアアグリゲーション(CA)有効モードを選択することを含む、請求項29に記載の装置。
【発明の詳細な説明】
【技術分野】
【０００１】
本出願は、ワイヤレス通信システムを対象とし、より詳細には、ワイヤレス通信システムにおける動作モード適応のための方法および装置を対象とする。
【背景技術】
【０００２】
ワイヤレスネットワークは、定義された地理的エリアに配備されて、その地理的エリア内のユーザに様々なタイプのサービス(たとえば、音声、データ、マルチメディアサービスなど)を提供することができる。ワイヤレス通信ネットワークは、いくつかのユーザ機器(UE)のための通信をサポートすることができるいくつかの基地局を含むことができる。UEは、ダウンリンクおよびアップリンクを介して基地局と通信することができる。
【０００３】
第3世代パートナーシッププロジェクト(3GPP)ロングタームエボリューション(LTE)は、モバイル通信用グローバルシステム(GSM(登録商標):Global System for Mobile Communications)およびユニバーサルモバイル電気通信システムシステム(UMTS)を発展させたものとしてセルラー技術を進歩させた。LTE物理レイヤ(PHY)は、発展型NodeB(eNB)などの基地局とUEなどのモバイルエンティティとの間でデータと制御情報の両方を搬送する非常に効率的な方法を提供する。従来の適用例では、マルチメディアのための高帯域幅通信を容易にするための方法は、単一周波数ネットワーク(SFN)動作であった。SFNは、たとえば、eNBなどの無線送信機を利用して、加入者UEと通信する。
【０００４】
LTEアドバンストにおいては、帯域幅を増やし、それによってデータレートを増加させるためにキャリアアグリゲーション(CA)またはチャネルアグリゲーションが使用される。キャリアアグリゲーションは、複数のLTEキャリアが一緒に使用されることを可能にして、LTEアドバンストに必要とされる高データレートをもたらす。アグリゲートされた各キャリアは、コンポーネントキャリア(CC)と呼ばれる。たとえば、コンポーネントキャリアは、1.4、3、5、10、15、または20MHzの帯域幅を有することができる。周波数分割複信(FDD)では、アグリゲートされるキャリアの数は、ダウンリンク(DL)およびアップリンク(UL)で異なることがある。個々のコンポーネントキャリアは、異なる帯域幅とすることもできる。時分割複信(TDD)では、CCの数および各CCの帯域幅は、DLおよびULに対して同じである。
【０００５】
通信性能を向上させるために、多入力多出力(MIMO)もまた使用することができる。MIMOの複数のアンテナは、送信機(Tx)端と受信機(Rx)端の両方に設置することができる。MIMOは、スペクトル効率(使用される帯域幅当たりのデータレート)を向上させる電力利得を実現するために、複数のアンテナにわたって総送信電力を拡散することができる。MIMOはまた、通信信頼性を向上させる信号対干渉比を増加させることができる。
【発明の概要】
【課題を解決するための手段】
【０００６】
以下で、そのような実装形態の基本的理解を与えるために、1つまたは複数の実装形態の簡略化された概要を提示する。この概要は、すべての考察された実装形態の包括的な概要ではなく、すべての実装形態の主要な要素または重要な要素を識別するものではなく、いずれかの実装形態またはすべての実装形態の範囲を定めるものでもない。その唯一の目的は、後に提示されるより詳細な説明の導入として、1つまたは複数の実装形態のいくつかの概念を簡略化された形で提示することである。
【０００７】
本明細書で説明する実装形態の1つまたは複数の態様によれば、ハードウェアおよびチャネル状態の制約に基づいた動作モード適応のためのシステムおよび方法が提供される。1つの実装形態では、ネットワークエンティティが、ネットワークエンティティと第2のネットワークエンティティとの間のチャネル状態を決定することができる。ネットワークエンティティは、そのハードウェア制約および消費電力要件を決定することができる。ネットワークエンティティは、チャネル状態、ハードウェア制約、および消費電力要件に少なくとも部分的に基づいてハードウェア割振り(hardware allocation)を選択することによって、ネットワークエンティティの消費電力とデータスループットのバランスをとることができ、動作モードを選択することは、(1)単入力単出力(SISO)モード、単入力多出力(SIMO)モード、または多入力多出力(MIMO)モードのうちの1つを選択することと、(2)キャリアアグリゲーション(CA)有効モード、またはCA無効モードのうちの一方を選択することとを含むことができる。
【０００８】
いくつかの実装形態では、ネットワークエンティティは、チャネル状態、ハードウェア制約、および消費電力要件に少なくとも部分的に基づいて動作モードを選択することによって、ネットワークエンティティの消費電力とデータスループットのバランスをとることができる。
【０００９】
本開示のこれらおよび他の例示的な態様について、後に続く詳細な説明および添付の請求項に、ならびに添付の図面に記載する。
【図面の簡単な説明】
【００１０】
【図１】例示的なワイヤレス通信ネットワークを示す図である。
【図２】例示的な通信システム構成要素のブロック図である。
【図３】動作モード適応のための通信システムのブロック図である。
【図４】動作モード適応のための例示的な方法を示す図である。
【図５】図4の方法による動作モード適応のための例示的な装置を示す図である。
【図６】動作モード適応のための第2の例示的な方法を示す図である。
【図７】図6の方法による動作モード適応のための装置の例を示す図である。
【発明を実施するための形態】
【００１１】
動作モード適応のための技法について本明細書で説明する。本開示は、モバイルデバイス(またはUE)に対するサービスを向上させるための技法を提供する。基地局とUEとの通信のために、この技法は、ハードウェア割振りまたは動作モードを選択することによって、消費電力とデータスループットのバランスをとる。バランスをとることは、たとえば、利用可能なハードウェア資源(たとえば、UE用の送信アンテナチェーン)、基地局とUEとの間のチャネル状態、データスループット要件、消費電力制約、任意の他の適切なパラメータ、またはそれらの任意の組合せなどの、パラメータに基づくことができる。
【００１２】
本開示では、「例示的」という言葉は、例、事例、または例示の働きをすることを意味するために使用される。「例示的」として本明細書で説明するいかなる態様または設計も、必ずしも他の態様または設計よりも好ましいまたは有利なものと解釈されるべきではない。むしろ、例示的という単語の使用は、概念を具体的な形で提示するものである。
【００１３】
ワイヤレスワイドエリアネットワーク(WWAN)およびワイヤレスローカルエリアネットワーク(WLAN)など、様々なワイヤレス通信ネットワークのための技法が使用され場合がある。「ネットワーク」および「システム」という用語は、しばしば互換的に使用される。WWANは、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)および/または他のネットワークであってもよい。CDMAネットワークは、汎用地上波無線アクセス(UTRA:Universal Terrestrial Radio Access)、cdma2000などの無線技術を実装することができる。UTRAは、広帯域CDMA(WCDMA(登録商標))およびCDMAの他の変形を含む。cdma2000は、IS-2000、IS-95およびIS-856の規格をカバーする。TDMAネットワークは、モバイル通信用グローバルシステム(GSM(登録商標))などの無線技術を実装することができる。OFDMAネットワークは、Evolved UTRA(E-UTRA)、Ultra Mobile Broadband(UMB)、IEEE802.16(WiMAX)、IEEE802.20、Flash-OFDM(登録商標)などの無線技術を実装することができる。UTRAおよびE-UTRAは、ユニバーサルモバイル通信システム(UMTS)の一部である。3GPP Long Term Evolution(LTE)およびLTE-Advanced(LTE-A)は、ダウンリンク上ではOFDMAを採用し、アップリンク上ではSC-FDMAを採用するE-UTRAを使用するUMTSの新リリースである。UTRA、E-UTRA、UMTS、LTE、LTE-AおよびGSM(登録商標)は、「第3世代パートナーシッププロジェクト(3rd Generation Partnership Project)」(3GPP)という名称の組織からの文書に記載されている。cdma2000およびUMBは、「第3世代パートナーシッププロジェクト2(3rd Generation Partnership Project 2)」(3GPP2)という名称の組織からの文書に記載されている。WLANは、たとえばIEEE 802.11(Wi-Fi)、Hiperlanなどの無線技術を実装することがある。
【００１４】
本明細書で使用される場合、アクセスポイントは、NodeB、eNodeB、無線ネットワークコントローラ(RNC)、基地局(BS)、無線基地局(RBS)、基地局コントローラ(BSC)、トランシーバ基地局(BTS)、送受信機機能(TF)、無線送受信機、無線ルータ、基本サービスセット(BSS)、拡張サービスセット(ESS)、マクロセル、マクロノード、Home eNB(HeNB)、フェムトセル、フェムトノード、ピコノード、または何らかの他の同様の用語を含む、それらのいずれかとして実装される、またはそれらのいずれかとして知られることがある。アクセスポイントは、マクロセルもしくはマイクロセルであってよい、または、マクロセルもしくはマイクロセルを含んでもよい。マイクロセル(たとえば、ピコセル、フェムトセル、ホームノードB、小さいセル、および小さいセル基地局)は、マクロセルよりもずっと低い送信電力を一般に有することによって特徴付けられ、中央計画なしにしばしば配備されることがある。対照的に、マクロセルは、一般的に、計画されたネットワークインフラストラクチャの一部として固定された場所に設置され、相対的に大きいエリアをカバーする。
【００１５】
本明細書で使用される場合、ダウンリンク(または順方向リンク)は、アクセスポイントからUEへの通信リンクを指し、そして、アップリンク(または逆方向リンク)は、UEからアクセスポイントへの通信リンクを指す。
【００１６】
本明細書で説明される技法は、上記のワイヤレスネットワークおよび無線技術、ならびに他のワイヤレスネットワークおよび無線技術に用いられてもよい。明快のために、本技法のいくつかの態様について以下では3GPPネットワークおよびWLANに関して説明し、以下の説明の大部分でLTEおよびWLAN用語を使用する。
【００１７】
図1は例示的なワイヤレス通信ネットワーク10を示し、これはLTEネットワークまたは何らかの他のワイヤレスネットワークであってよい。ワイヤレスネットワーク10は、いくつかの発展型ノードB(eNB)30と他のネットワークエンティティとを含むことができる。eNBは、モバイルエンティティと通信するエンティティであってよく、基地局、ノードB、アクセスポイントなどと呼ばれることもある。eNBは一般的に基地局よりも多くの機能を有しているが、本明細書では「eNB」および「基地局」という用語が互換的に使用されている。各eNB30は、特定の地理的エリアのための通信カバレージを提供することができ、カバーエリア内に位置するモバイルエンティティのための通信をサポートすることができる。ネットワーク容量を向上させるために、eNBの全体的なカバレージエリアは、複数の(たとえば3つの)より小さいエリアに区分されることがある。より小さい各エリアは、それぞれのeNBサブシステムによってサービスされてよい。3GPPでは、「セル」という用語は、この用語が使用される状況に応じて、eNBの最小のカバレージエリアおよび/またはこのカバレージエリアにサービスしているeNBサブシステムを指すことがある。
【００１８】
eNBは、マクロセル、ピコセル、フェムトセル、および/または他のタイプのセルに通信カバレージを提供することができる。マクロセルは、比較的大きい地理的エリア(たとえば、半径数キロメートル)をカバーすることができ、サービスに加入しているUEによる無制限のアクセスを可能にすることができる。ピコセルは、比較的小さい地理的エリアをカバーすることができ、サービスに加入しているUEによる無制限アクセスを可能にすることができる。フェムトセルは、比較的小さい地理的エリア(たとえば、家庭)をカバーすることができ、フェムトセルとの関連を有するUE(たとえば、限定加入者グループ(CSG)の中のUE)による限定アクセスを可能にすることができる。図1に示す例では、eNB30a、30bおよび30cは、それぞれマクロセルグループ20a、20bおよび20cのマクロeNBであってよい。セルグループ20a、20bおよび20cの各々は、複数(たとえば、3つ)のセルまたはセクタを含むことができる。eNB30dは、ピコセル20dのピコeNBであってよい。eNB30eは、フェムトセル20eのためのフェムトeNB、フェムトセル基地局、またはフェムトアクセスポイント(FAP)であってよい。
【００１９】
ワイヤレスネットワーク10は、中継器も含むことができる(図1には図示せず)。中継器は、上流局(たとえば、eNBまたはUE)からのデータの伝送を受信し、下流局(たとえば、UEまたはeNB)へのデータの伝送を送ることができるエンティティであってよい。中継器は、他のUE向けの伝送を中継することができるUEであってもよい。
【００２０】
ネットワークコントローラ50は、eNBのセットに結合することができ、これらのeNBの協調および制御を行うことができる。ネットワークコントローラ50は、単一のネットワークエンティティまたはネットワークエンティティの集合であってよい。ネットワークコントローラ50はバックホールを介してeNBと通信することができる。eNBは、たとえば、ワイヤレスバックホールまたはワイヤラインバックホールを介して直接または間接的に互いに通信することもできる。
【００２１】
UE40はワイヤレスネットワーク10全体にわたって分散されてよく、各UEは静止しているまたは移動していてよい。UEは、移動局、端末、アクセス端末、加入者ユニット、局などと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、スマートフォン、ネットブック、スマートブックなどであってよい。UEは、eNB、中継器などと通信することが可能であってよい。UEはまた、他のUEとピアツーピア(P2P)で通信することが可能であってよい。
【００２２】
ワイヤレスネットワーク10は、シングルキャリアまたはダウンリンク(DL)およびアップリンク(UL)の各々のためのマルチキャリアにおける動作をサポートすることができる。キャリアは、通信のために使用される周波数の範囲を指すことがあり、いくつかの特徴と関連付けられることがある。マルチキャリア上での動作は、マルチキャリア動作またはキャリアアグリゲーション(CA)と呼ばれることもある。UEは、eNBとの通信のために、DL(またはDLキャリア)のための1つまたは複数のキャリア、およびUL(またはULキャリア)のための1つまたは複数のキャリア上で動作することができる。eNBは、1つまたは複数のDLキャリア上でデータおよび制御情報をUEに送ることができる。UEは、1つまたは複数のULキャリア上でデータおよび制御情報をeNBに送ることができる。1つの設計では、DLキャリアは、ULキャリアと対にされてよい。この設計では、所与のDLキャリア上のデータ送信をサポートするための制御情報は、そのDLキャリアおよび関連のULキャリア上で送られてよい。同様に、所与のULキャリア上のデータ送信をサポートするための制御情報は、そのULキャリアおよび関連のDLキャリア上で送られてよい。別の設計では、クロスキャリア制御がサポートされてよい。この設計では、所与のDLキャリア上のデータ送信をサポートするための制御情報は、DLキャリアの代わりに、別のDLキャリア(たとえば、ベースキャリア)上で送られてよい。
【００２３】
キャリアアグリゲーションは、複数のキャリアにわたる無線リソースの併用を介してユーザ端末に配信される有効な帯域幅の拡大を可能にする。キャリアがアグリゲートされるとき、各キャリアは、コンポーネントキャリアと呼ばれる。複数のコンポーネントキャリアは、より大きい全送信帯域幅を形成するためにアグリゲートされる。2つ以上のコンポーネントキャリアは、より広い送信帯域幅をサポートするためにアグリゲートされてよい。
【００２４】
ワイヤレスネットワーク10は、所与のキャリアのためのキャリア拡大をサポートすることができる。キャリア拡大のために、キャリア上で異なるUEに対して、異なるシステム帯域幅がサポートされてよい。たとえば、ワイヤレスネットワークは、(i)第1のUE(たとえば、LTE Release 8もしくは9または何らかの他のリリースをサポートするUE)に対して、DLキャリア上で第1のシステム帯域幅をサポートし、(ii)第2のUE(たとえば、より新しいLTEリリースをサポートするUE)に対して、DLキャリア上で第2のシステム帯域幅をサポートすることができる。第2のシステム帯域幅は、第1のシステム帯域幅に完全にまたは部分的に重なることがある。たとえば、第2のシステム帯域幅は、第1のシステム帯域幅、および第1のシステム帯域幅の一端または両端に追加の帯域幅を含むことがある。追加のシステム帯域幅は、第2のUEにデータおよび場合によっては制御情報を送るために使用されてよい。
【００２５】
ワイヤレスネットワーク10は、単入力単出力(SISO)、単入力多出力(SIMO)、多入力単出力(MISO)、またはMIMOを介してデータ送信をサポートすることができる。MIMOでは、送信機(たとえばeNB)は、複数の送信アンテナから受信機(たとえばUE)の複数の受信アンテナにデータを送信することができる。MIMOは、(たとえば、異なるアンテナから同じデータを送信することによって)信頼性を向上させる、および/または(たとえば、異なるアンテナから異なるデータを送信することによって)スループットを向上させるために使用されてよい。
【００２６】
ワイヤレスネットワーク10は、シングルユーザ(SU)MIMO、マルチユーザ(MU)MIMO、多地点協調(CoMP)などをサポートすることができる。SU-MIMOでは、セルは、プリコーディングの有無にかかわらず所与の時間周波数リソース上で複数のデータストリームを単一のUEに送信することができる。MU-MIMOでは、セルは、プリコーディングの有無にかかわらず同じ時間周波数リソース上で複数のデータストリームを複数のUEに(たとえば、各UEに対して1つのデータストリーム)送信することができる。CoMPは、協働送信および/または共同処理を含むことができる。協働送信では、複数のセルは、データ送信が意図されたUEの方に向けられる、および/または1つまたは複数の被干渉のUEから離れるように、所与の時間/周波数リソース上で、1つまたは複数のデータストリームを単一のUEに送信することができる。共同処理では、複数のセルは、プリコーディングの有無にかかわらず同じ時間周波数リソース上で複数のUEに複数のデータストリームを(たとえば、各UEに1つのデータストリームを)送信することができる。
【００２７】
ワイヤレスネットワーク10は、データ送信の信頼性を向上させるために、ハイブリッド自動再送信(HARQ)をサポートすることができる。HARQでは、送信機(たとえばeNB)は、データパケット(またはトランスポートブロック)の送信を送ることができ、必要に応じて、パケットが受信機(たとえばUE)によって正しく復号化されるまで、または最大数の送信が送られるまで、または何らかの他の終了状態に遭遇するまで、1つまたは複数の追加の送信を送ることができる。送信機は、このように、パケットの可変数の送信を送ることができる。
【００２８】
ワイヤレスネットワーク10は、同期動作または非同期動作をサポートすることができる。同期動作の場合、eNBは同様のフレームタイミングを有することができ、異なるeNBからの送信を、時間的に概ね合わせることができる。非同期動作の場合、eNBは異なるフレームタイミングを有することができ、異なるeNBからの送信は、時間的に合わせられなくてもよい。
【００２９】
ワイヤレスネットワーク10は、周波数分割複信(FDD)または時分割複信(TDD)を利用することができる。FDDでは、DLおよびULは別々の周波数チャネルが割り振られてもよく、DL送信およびUL送信は、2つの周波数チャネル上で並行して送られてもよい。TDDでは、DLおよびULは同じ周波数チャネルを共有してもよく、DL送信およびUL送信は、異なる時間期間で同じ周波数チャネル上で送られてもよい。
【００３０】
図2は、LTE MIMOシステム200における送信機システム210(アクセスポイント、基地局、またはeNBとしても知られている)および受信機システム250(アクセス端末、モバイルデバイス、またはUEとしても知られている)を含むブロック図200を示す。本開示では、送信機システム210は、WS対応eNBなどに対応することがあるが、受信機システム250は、WS対応UEなどに対応することがある。
【００３１】
送信機システム210において、いくつかのデータストリームのトラフィックデータが、データソース212から送信データプロセッサ214に提供される。各データストリームは、それぞれの送信アンテナを通じて送信される。Txデータプロセッサ214は、各データストリームのトラフィックデータを、そのデータストリームに選択された特定のコーディング方式に基づいて、フォーマットし、コーディングし、インターリーブして、コーディングされたデータを提供する。
【００３２】
各データストリームの符号化されたデータは、OFDM技法を使用してパイロットデータと多重化することができる。パイロットデータは、典型的には、既知の方法で処理される既知のデータパターンであり、チャネル応答を推定するために、受信機システムで使用することができる。その後、多重化されたパイロットおよび各データストリームの符号化されたデータは、変調シンボルを与えるためにそのデータストリームに対して選択された特定の変調方式(たとえば、BPSK、QSPK、M-PSK、またはM-QAM)に基づいて変調される(すなわち、シンボルマッピングされる)。各データストリームのデータレート、コーディング、および変調は、プロセッサ230によって実行される命令によって決定されてよい。
【００３３】
次いで、すべてのデータストリームの変調シンボルは、Tx MIMOプロセッサ220に提供され、Tx MIMOプロセッサ220は、さらに、(たとえば、OFDMのために)その変調シンボルを処理することができる。次いで、Tx MIMOプロセッサ220は、NT個の変調シンボルストリームをNT個の送信機(TMTR)222a〜222tに提供する。いくつかの実装形態では、Tx MIMOプロセッサ220は、データストリームのシンボルと、そのシンボルがそこから送信されているアンテナとに、ビームフォーミング重みを適用する。
【００３４】
各送信機222は、それぞれのシンボルストリームを受信および処理して、1つまたは複数のアナログ信号を供給し、さらにアナログ信号を調整(たとえば、増幅、フィルタリング、およびアップコンバート)して、MIMOチャネルを介した送信に適した変調信号を供給する。送信機222a〜222tからのNT個の変調信号は、次いで、それぞれ、NT本のアンテナ224a〜224tから送信される。
【００３５】
受信機システム250において、送信された変調信号は、NR個のアンテナ252a〜252rによって受信され、各アンテナ252から受信された信号は、それぞれの受信機(RCVR)254a〜254rに提供される。各受信機254は、それぞれの受信信号を調整(たとえば、フィルタリング、増幅、およびダウンコンバート)し、調整された信号をデジタル化してサンプルを提供し、さらにそのサンプルを処理して対応する「受信」シンボルストリームを与える。
【００３６】
次いで、Rxデータプロセッサ260が、NR個の受信機254からNR個の受信シンボルストリームを受信し、特定の受信機処理技法に基づいて処理して、NT個の「被検出」シンボルストリームを与える。次いで、Rxデータプロセッサ260は、検出された各シンボルストリームを復調し、デインターリーブし、復号して、データストリームのトラフィックデータを回復する。Rxデータプロセッサ260による処理は、送信機システム210におけるTx MIMOプロセッサ220およびTxデータプロセッサ214によって実行される処理を補足するものである。
【００３７】
プロセッサ270は、どのプリコーディング行列を使用すべきかを定期的に決定する(後述する)。プロセッサ270は、行列インデックス部とランク値部とを備える逆方向リンクメッセージを作成する。逆方向リンクメッセージは、通信リンクおよび/または受信されたデータストリームに関する様々なタイプの情報を含むことができる。次いで、逆方向リンクメッセージは、データソース236からいくつかのデータストリームのトラフィックデータも受信するTxデータプロセッサ238によって処理され、変調器280によって変調され、送信機254a〜254rによって調整され、送信機システム210に送り返される。
【００３８】
送信機システム210において、受信機システム250からの被変調信号は、アンテナ224によって受信され、受信機222によって調整され、復調器240によって復調され、Rxデータプロセッサ242によって処理されて、受信機システム250によって送信された逆方向リンクメッセージを抽出する。プロセッサ230は、次いで、ビームフォーミング重みを決定するためにどのプリコーディング行列を使用すべきかを決定し、次いで、抽出されたメッセージを処理する。
【００３９】
図3は、アクセス端末310とアクセスポイント320との間の例示的なワイヤレス通信シナリオを示す。例示のために、互いに通信する、1つまたは複数のアクセス端末、アクセスポイント、およびネットワークエンティティのコンテキストにおいて、本開示の様々な態様について説明する。しかしながら、本明細書の教示は、他の専門用語を使用して参照される、他のタイプの装置または他の同様の装置に適用可能である可能性があることを諒解されたい。本明細書の教示が複数のアクセスポイントの間、または複数のアクセス端末の間の通信シナリオに適用可能である可能性があることをさらに諒解されたい。システム300、アクセス端末310、およびアクセスポイント320は、図3に示していない追加の構成要素を含むことができることもまた諒解されたい。たとえば、アクセス端末310に含まれる構成要素は、アクセスポイント320または別のネットワークデバイスに含まれる場合がある。アクセス端末310によって行われる動作は、アクセスポイント320または他のそのようなネットワークデバイスによって行われる場合があることをさらに諒解されたい。
【００４０】
システム300におけるアクセスポイント320は、1つまたは複数のワイヤレス端末(たとえば、アクセス端末、UE、モバイルエンティティ、モバイルデバイス)310のための1つまたは複数のサービス(たとえば、ネットワーク接続)へのアクセスを提供することができる。広域ネットワーク接続を容易にするために、アクセスポイント320は、1つまたは複数のネットワークエンティティ(図示せず)と通信することができる。そのようなネットワークエンティティは、たとえば、1つまたは複数の無線ネットワークエンティティおよび/またはコアネットワークエンティティなどの様々な形態をとることがある。
【００４１】
様々な実装形態では、ネットワークエンティティは、(たとえば、運用、アドミニストレーション、管理、およびプロビジョニングのエンティティを介した)ネットワーク管理、呼制御、セッション管理、モビリティ管理、ゲートウェイ機能、インターワーキング機能、または何らかの他の適切なネットワーク機能を扱う役割を負う、またはさもなければそれらを扱うことに関係する場合がある。関係する態様では、モビリティ管理は、追跡エリア、位置エリア、ルーティングエリア、または何らかの他の適切な技法の使用を通してアクセス端末の現在位置を追跡するステップと、アクセス端末のページングを制御するステップと、アクセス端末にアクセス制御を提供するステップとに関係する、またはそれらを伴う場合がある。また、これらのネットワークエンティティのうちの2つ以上が同じ場所に配置される場合がある、および/またはそのようなネットワークエンティティのうちの2つ以上がネットワーク全体に分散される場合がある。
【００４２】
アクセス端末310は、1つまたは複数の送信(Tx)アンテナチェーン(たとえば、Txアンテナチェーン3121〜312m)を含むことができる。アクセスポイント320は、少なくとも1つの受信(Rx)アンテナチェーン(たとえば、Rxアンテナチェーン3221〜322n)を含むことができる。例示的な態様では、アクセス端末310は、2つのTxアンテナチェーンを含むことがあり、アクセスポイント320は、2つのRxアンテナチェーンを含むことがある。アクセス端末310からアクセスポイント320へのアップリンク通信は、2×2 MIMO、1×2 SIMO、または1×1 SISOのうちの少なくとも1つを使用することができる。2×2 MIMOアップリンクには、アクセス端末310のための少なくとも2つのTxアンテナチェーンと、アクセスポイント320のための少なくとも2つのRxアンテナチェーンとが必要とされることがある。図3では、アクセス端末310がTxアンテナチェーンのみを含むように示され、アクセスポイント320がRxアンテナチェーンのみを含むように示されているが、アクセス端末310およびアクセスポイント320は、(たとえば、ダウンリンク通信のために)他のタイプのアンテナチェーンを含む場合があることを当業者には諒解されよう。たとえば、アクセス端末310が、1つまたは複数のRxアンテナチェーンを含むことがあり、アクセスポイント320が、1つまたは複数のTxアンテナチェーンを含むことがある(図3には図示せず)。
【００４３】
例示的な実装形態では、アクセス端末310は、チャネル決定ユニット314を含むことができる。チャネル決定ユニット314は、アクセス端末310とアクセスポイント320との間のチャネル状態を決定することができる。関係する態様では、チャネル決定ユニット314は、アクセス端末310とアクセスポイント320との間のチャネルについてチャネル容量を決定することができる。たとえば、チャネル決定ユニット314は、通信チャネルによってサポートされることが可能である同時データストリームの数に基づいて、通信チャネルに特定のランキングを割り当てることができる。たとえば、単一データストリーム用の容量を有する通信チャネルが、ランク1チャネルと考えられてよく、2つのデータストリーム用の容量を有するチャネルが、ランク2チャネルと考えられるなどであってよい。いくつかの実施形態では、ランク1チャネルは、2×2 MIMOモードをサポートしないが、1×1 SISOモードに対処すると決定されることがある。
【００４４】
例示的な実装形態では、アクセス端末310は、ハードウェア決定ユニット315を含むことができる。ハードウェア決定ユニット315は、アクセス端末310のハードウェア制約を決定することができる。関係する態様では、ハードウェア決定ユニット315は、アクセス端末310用のTxアンテナチェーンの数を決定することができる。たとえば、ハードウェア決定ユニット315は、2つのTxアンテナチェーン312があると決定することができる。ハードウェア決定ユニット315は、任意の適切な手法を使用して、Txアンテナチェーンの品質を決定することができる。たとえば、ハードウェア決定ユニット315は、アクセス端末310、ネットワークコントローラ、または別のそのようなソースから、アクセス端末310に利用可能なTxアンテナチェーンの品質と関連する情報を受信する、または取得することができる。
【００４５】
別の関係する態様では、ハードウェア決定ユニット315は、Txアンテナチェーン312電力増幅器能力を決定することができる。たとえば例示のために、アクセス端末310は、複数のTxアンテナチェーンを含んでよい。複数のTxアンテナチェーンのうちの1つまたは複数は、アンテナ端子に直接接続することができる。他のTxアンテナチェーンは、電力増幅器を介してアンテナ端末に接続することができる。ハードウェア決定ユニット315は、アンテナ端子に、どのTxアンテナチェーンが直接接続され、どのTxアンテナチェーンが電力増幅器を介して接続されるかを決定することができる。この決定に基づいて、ハードウェア決定ユニット315は、所与の目的にどのタイプのTxアンテナチェーンを使用するかを選択することができる。
【００４６】
例示的な実装形態では、アクセス端末310は、電力決定構成要素316を含むことができる。電力決定構成要素316は、アクセス端末310の消費電力要件を決定することができる。関係する態様では、電力決定構成要素316は、アクセス端末310の現在のバッテリーレベルを決定することができる。
【００４７】
例示的な実装形態では、アクセス端末310は、ハードウェア割振りコントローラ317を含むことができる。ハードウェア割振りコントローラ317は、チャネル状態、ハードウェア制約、および消費電力要件に少なくとも部分的に基づいて消費電力とデータスループットのバランスをとることができる。関係する態様では、ハードウェア割振りコントローラ317は、消費電力とデータスループットのバランスをとるために、Txアンテナチェーン312のために電力レベルを割り振ることができる。たとえば、ハードウェア割振りコントローラ317は、より低いデータスループットを代償にして消費電力を最小限に抑えるTxアンテナチェーン312のために電力レベルを割り振ることができる。
【００４８】
別の関連する態様では、ハードウェア割振りコントローラ317は、消費電力とデータスループットのバランスをとるために、1つまたは複数のTxアンテナチェーン312を無効にすることができる。たとえば、ハードウェア割振りコントローラ317は、Txアンテナチェーンの数がチャネルのランクを超えるのに応じて1つまたは複数のTxアンテナチェーン312を無効にすることができる。別の例として、ハードウェア割振りコントローラ317は、現在のバッテリーレベルが低いと決定することに応じて消費電力を最小限に抑えるまたは下げるために、1つまたは複数のTxアンテナチェーン312を無効にすることができる。関係する例では、ハードウェア割振りコントローラ317は、チャネル推定または上位ランクへの切替えのために、無効にされたTxアンテナチェーン312を定期的に再び有効にすることができる。
【００４９】
関係する態様では、ハードウェア割振りコントローラ317は、複数のTxアンテナチェーン312が異なる電力増幅器能力を有すると決定することに応じて、複数のTxアンテナチェーン312に等しくない電力レベルを割り振ることができる。MIMOに対して、より高い電力増幅器対応アンテナチェーンがより低い電力増幅器対応アンテナチェーンとともに使用されていると決定される場合、より高い電力増幅器対応アンテナチェーンへの電力を下げることによって、電力が節約されてもよい。
【００５０】
さらに別の関係する態様では、ハードウェア割振りコントローラ317は、少なくとも1つのTxアンテナチェーン312をWi-Fi使用からLTE使用へ再割振りする、または少なくとも1つのアンテナチェーン312をLTE使用からWi-Fi使用へ再割振りすることができる。ある場合には、ハードウェア割振りコントローラ317は、ハードウェア決定ユニット315から取得された情報を使用することができる。たとえば、ハードウェア決定ユニット315がどのタイプのTxアンテナチェーンを使用するかを選択すると、ハードウェア割振りコントローラ317は、少なくとも1つのTxアンテナチェーン312をWi-Fi使用またはLTE使用のいずれかに割り振ることができる。
【００５１】
例示的な実装形態では、アクセス端末310は、動作モードコントローラ318を含むことができる。関係する態様では、動作モードコントローラ318は、SISOモード、SIMOモード、またはMIMOモードのうちの1つを選択することができる。
【００５２】
第1の例では、動作モードコントローラ318は、チャネル容量をランク1であると決定することに応じて、SISOモードおよびCA有効モードを選択することができる。
【００５３】
第2の例では、動作モードコントローラ318は、チャネル容量をランク1よりも大きいと決定することに応じて、MIMOモードを選択することができる。
【００５４】
第3の例示的な態様では、動作モードコントローラ318は、第2のネットワークエンティティ用の受信アンテナチェーンの数を決定することに基づいて動作モードを選択することができる。
【００５５】
第4の例では、動作モードコントローラは、第2のネットワークエンティティ用の受信アンテナチェーンの数を決定することに基づいて、SISOモード、SIMOモード、またはMIMOモードのうちの1つを選択することができる。
【００５６】
たとえば、アクセス端末310が2つのTxアンテナチェーン312を含み、アクセスポイント320が、2つのRxアンテナチェーン322を含み、通信チャネルがランク1であると決定される場合、動作モードコントローラ318は、1×1 SISOモードを選択することができる。この例では、ランク1チャネルが、1×1 SISOモードを越える利得を与えない可能性があるので、1×1 SISOモードは、2×2 MIMOモードの代わりに選択される。2×2 MIMOモードは、2つのTxアンテナチェーン312を使用することがあるが、1×1 SISOモードは、1つのTxアンテナチェーン312のみを使用することがある。したがってMIMOモードは、SISOと比較して不必要な電力を使用する可能性がある。この例では、SISOが2つのTxアンテナチェーンのうちの1つのみを使用することがあるので、ハードウェア割振りコントローラ317は、消費電力を減らすために1つのTxアンテナチェーン312を無効にしてもよい。
【００５７】
さらに例示のために、アクセス端末310が2つのTxアンテナチェーン312を含み、アクセスポイント320が2つのRxアンテナチェーン322を含み、通信チャネルがランク2であると決定される場合、動作モードコントローラ318は、アクセス端末310に利用可能なTxアンテナチェーンの数と、およびチャネル容量がランク2であることに基づいて、2×2 MIMOモードを使用してアクセスポイント320と通信することに決定することができる。この例では、動作モードコントローラ318は、Txアンテナ312を無効にしないことに決定することができる。
【００５８】
さらに別の例として、アクセス端末310が4つのTxアンテナチェーン312を含み、アクセスポイント320が、4つのRxアンテナチェーン322を含み、通信チャネルがランク2であると決定される場合、動作モードコントローラ318は、2×2 MIMOモードを選択することができる。この例では、電力を節約するために、ハードウェア割振りコントローラ317は、使用されていない2つのTxアンテナチェーンを無効にすることに決定することができる。
【００５９】
関係する態様では、動作モードコントローラ318は、CA有効モード、またはCA無効モードのうちの一方を選択することができる。例示のために、アクセス端末310が2つのTxアンテナチェーン312を含み、アクセスポイント320が、2つのRxアンテナチェーン322を含み、通信チャネルがランク1であると決定される場合、動作モードコントローラ318は、2つのキャリア上で1×1 SISOモードを使用することによってCA有効モードを選択することができる。この例では、Txアンテナチェーンの数はチャネル容量を超えるが、CAモードは2つのキャリアに2つのTxアンテナチェーン312を使用するので、ハードウェア割振りコントローラ317は、Tx送信アンテナを無効にしないことに決定することができる。
【００６０】
本明細書で説明する実装形態の1つまたは複数の態様により、図4を参照すると、動作モード適応のための方法400が示されている。ネットワークエンティティまたはその構成要素によって動作可能な方法400は、410で、ネットワークエンティティと第2のネットワークエンティティとの間のチャネル状態を決定するステップを含んでよい。例示的な実装形態では、ネットワークエンティティは、第2のネットワークエンティティ(たとえば、図3に示す、アクセスポイント320)と通信するアクセス端末310であってよい。別の例示的な実装形態では、ネットワークエンティティは、第2のネットワークエンティティ(たとえば、アクセス端末または他のそのようなネットワークエンティティ)と通信するアクセスポイントであってよい。関係する態様では、チャネル決定ユニット314は、図3に示すように、チャネル状態を決定することができる。
【００６１】
方法400は、420で、ネットワークエンティティのハードウェア制約を決定するステップを含んでよい。例示的な実装形態では、ハードウェア決定ユニット315は、図3に示すように、ハードウェア制約を決定することができる。
【００６２】
方法400は、任意に430で、ネットワークエンティティの消費電力要件を決定するステップを含んでよい。例示的な実装形態では、電力決定ユニット316は、図3に示すように、消費電力要件を決定することができる。
【００６３】
方法400は、任意に440で、チャネル状態、ハードウェア制約、および消費電力要件に少なくとも部分的に基づいてハードウェア割振りを選択することによって、ネットワークエンティティの消費電力とデータスループットのバランスをとることを含んでよい。例示的な実装形態では、ハードウェア割振りコントローラ317は、図3に示すように、ハードウェア割振りを選択することができる。
【００６４】
本明細書で説明する実装形態の1つまたは複数の態様により、図5は、図4の方法による動作モード適応のための例示的な装置を示す。例示的な装置500は、コンピューティングデバイスとして、またはプロセッサもしくは内部で使用される同様のデバイス/構成要素として構成されてよい。一例では、装置500は、プロセッサ、ソフトウェア、またはその組合せ(たとえばファームウェア)によって実施される機能を表すことができる機能ブロックを含んでよい。別の例では、装置300は、システムオンチップ(SoC)または同様の集積回路(IC)であってよい。
【００６５】
一実装形態では、装置500は、ネットワークエンティティと第2のネットワークエンティティとの間のチャネル状態を決定するための電気構成要素またはモジュール510を含んでよい。
【００６６】
装置500は、ネットワークエンティティのハードウェア制約を決定するための電気構成要素520を含んでよい。
【００６７】
装置500は、任意に、ネットワークエンティティの消費電力要件を決定するための電気構成要素530を含んでよい。
【００６８】
装置500は、任意に、チャネル状態、ハードウェア制約、および消費電力要件に少なくとも部分的に基づいてハードウェア割振りを選択することによって、ネットワークエンティティの消費電力とデータスループットのバランスをとるための電気構成要素540を含んでよい。
【００６９】
さらなる関連する態様では、装置500は、任意に、プロセッサ構成要素502を含んでよい。プロセッサ502は、バス501または同様の通信結合を介して構成要素510〜540と動作可能に通信していてもよい。プロセッサ502は、電気構成要素510〜540によって実行されるプロセスまたは機能の開始およびスケジューリングをもたらすことができる。
【００７０】
またさらなる関係する態様では、装置500は無線トランシーバ構成要素503を含んでよい。トランシーバ503の代わりにまたはトランシーバ503とともにスタンドアロン受信機および/またはスタンドアロン送信機が使用されてよい。装置500は、1つまたは複数の他の通信デバイスなどに接続するためのネットワークインターフェース505を含んでもよい。装置500は任意に、たとえば、メモリデバイス/構成要素504などの情報を記憶するための構成要素を含んでよい。コンピュータ可読媒体またはメモリ構成要素504はバス501などを介して装置500の他の構成要素に動作可能に結合されてよい。メモリ構成要素504は、構成要素510〜540、およびその副構成要素、またはプロセッサ502、あるいは本明細書で開示する方法のプロセスおよび動作に影響を及ぼすためのコンピュータ可読命令およびデータを記憶するように適合されてよい。メモリ構成要素504は、構成要素510〜540に関連する機能を実行するための命令を保持することができる。メモリ504の外部にあるものとして示されているが、構成要素510〜540はメモリ504内に存在できることは理解されたい。図5の構成要素は、プロセッサ、電子デバイス、ハードウェアデバイス、電子副構成要素、論理回路、メモリ、ソフトウェアコード、ファームウェアコードなど、またはその任意の組合せを備える場合があることに、さらに留意されたい。
【００７１】
本明細書で説明する実装形態の1つまたは複数の態様により、図6を参照すると、動作モード適応のための方法600が示されている。ネットワークエンティティまたはその構成要素によって動作可能な方法600は、610で、ネットワークエンティティと第2のネットワークエンティティとの間のチャネル状態を決定するステップを含んでよい。例示的な実装形態では、ネットワークエンティティは、第2のネットワークエンティティ(たとえば、図3に示す、アクセスポイント320)と通信するアクセス端末310であってよい。別の例示的な実装形態では、ネットワークエンティティは、第2のネットワークエンティティ(たとえば、アクセス端末または他のそのようなネットワークエンティティ)と通信するアクセスポイントであってよい。関係する態様では、チャネル決定ユニット314は、図3に示すように、チャネル状態を決定することができる。
【００７２】
方法600は、620で、ネットワークエンティティのハードウェア制約を決定するステップを含んでよい。例示的な実装形態では、ハードウェア決定ユニット315は、図3に示すように、ハードウェア制約を決定することができる。
【００７３】
方法600は、任意に630で、ネットワークエンティティの消費電力要件を決定するステップを含んでよい。例示的な実装形態では、電力決定ユニット316は、図3に示すように、消費電力要件を決定することができる。
【００７４】
方法600は、任意に640で、チャネル状態、ハードウェア制約、および消費電力要件に少なくとも部分的に基づいて動作モードを選択することによって、ネットワークエンティティの消費電力とデータスループットのバランスをとることを含んでよい。例示的な実装形態では、動作モードコントローラ616は、図3に示すように、SISOモード、SIMOモード、またはMIMOモードのうちの1つを選択することができる。
【００７５】
本明細書で説明する実装形態の1つまたは複数の態様により、図7は、図6の方法による動作モード適応のための例示的な装置を示す。例示的な装置700は、コンピューティングデバイスとして、またはプロセッサもしくは内部で使用される同様のデバイス/構成要素として構成されてよい。一例では、装置700は、プロセッサ、ソフトウェア、またはその組合せ(たとえばファームウェア)によって実施される機能を表すことができる機能ブロックを含んでよい。別の例では、装置300は、システムオンチップ(SoC)または同様の集積回路(IC)であってよい。
【００７６】
一実装形態では、装置700は、ネットワークエンティティと第2のネットワークエンティティとの間のチャネル状態を決定するための電気構成要素またはモジュール710を含んでよい。
【００７７】
装置700は、ネットワークエンティティのハードウェア制約を決定するための電気構成要素720を含んでよい。
【００７８】
装置700は、任意に、ネットワークエンティティの消費電力要件を決定するための電気構成要素730を含んでよい。
【００７９】
装置700は、任意に、チャネル状態、ハードウェア制約、および消費電力要件に少なくとも部分的に基づいて動作モードを選択することによって、ネットワークエンティティの消費電力とデータスループットのバランスをとるための電気構成要素740を含んでよい。
【００８０】
簡潔さを目的として、装置700に関する残りの詳細はさらに詳述されないが、装置700の残りの特徴および態様は、図5の装置500に関して前述されたものと実質的に同様であることを理解されたい。装置700の各構成要素の機能は、本システムの任意の適切な構成要素内で実装するまたは任意の適切な形で組み合わせることができることが、当業者には理解されよう。
【００８１】
本明細書の開示に関連して説明される様々な例示的な論理ブロック、モジュール、および回路は、本明細書で説明される機能を実行するように設計された汎用プロセッサ、デジタル信号プロセッサ(DSP)、特定用途向け集積回路(ASIC)、フィールドプログラマブルゲートアレイ(FPGA)もしくは他のプログラマブル論理デバイス、個別のゲートもしくはトランジスタロジック、個別のハードウェア構成要素、またはそれらの任意の組合せとともに、実装または実行されてよい。汎用プロセッサは、マイクロプロセッサとすることができるが、代替的にプロセッサは、任意の従来のプロセッサ、コントローラ、マイクロコントローラ、または状態機械とすることができる。プロセッサは、コンピューティングデバイスの組合せ、たとえばDSPとマイクロプロセッサの組合せ、複数のマイクロプロセッサ、DSPコアと連結した1つもしくは複数のマイクロプロセッサ、または任意の他のそのような構成として実現することもできる。
【００８２】
本明細書の開示に関して記載された方法またはアルゴリズムの動作は、直接ハードウェアにおいて、プロセッサによって実行されるソフトウェアモジュールにおいて、またはその2つの組合せにおいて実施されてよい。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体の中に存在する場合がある。例示的な記憶媒体は、プロセッサが記憶媒体から情報を読み取り、記憶媒体に情報を書き込むことができるように、プロセッサに結合される。代替として、記憶媒体はプロセッサに一体化されてもよい。プロセッサおよび記憶媒体は、ASICに存在してもよい。ASICは、ユーザ端末内に存在してもよい。代替として、プロセッサおよび記憶媒体は、ユーザ端末の中に個別構成要素として存在してもよい。
【００８３】
1つまたは複数の例示的な設計では、説明される機能は、ハードウェア、ソフトウェア、ファームウェア、またはそれらの任意の組合せで実現される場合がある。ソフトウェアにおいて実装される場合、それらの機能は、非一時的コンピュータ可読媒体上の1つまたは複数の命令またはコードとして記憶するまたは送信することができる。非一時的コンピュータ可読媒体は、ある場所から別の場所へのコンピュータプログラムの転送を円滑化する任意の媒体を含む、コンピュータ記憶媒体と通信媒体の両方を含む。記憶媒体は、汎用または専用コンピュータによってアクセスされ得る任意の利用可能な媒体でもよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコード手段を搬送または記憶するために使用され得、汎用もしくは専用コンピュータまたは汎用もしくは専用プロセッサによってアクセスされ得る、任意の他の媒体を含むことができる。ディスク(disk)およびディスク(disc)は、本明細書において使用されるときに、コンパクトディスク(disc)(「CD」)、レーザディスク(disc)、光ディスク(disc)、デジタル多用途ディスク(disc)(「DVD」)、フロッピー(登録商標)ディスク(disk)およびブルーレイディスク(disc)を含み、ディスク(disk)は通常、データを磁気的に再生し、一方、ディスク(disc)は、レーザを用いてデータを光学的に再生する。上記の組合せも、非一時的コンピュータ可読媒体の範囲内に含まれるべきである。
【００８４】
本開示のこれまでの説明は、当業者が本開示を作製または使用することを可能にするために提供される。本開示への様々な修正が当業者には容易に明らかになり、本明細書で定義する一般原理は、本開示の範囲を逸脱することなく他の変形形態に適用されてもよい。したがって、本開示は、本明細書で説明される例および設計に限定されるものではなく、本明細書で開示される原理および新規の特徴に一致する最大の範囲を与えられるものである。
【符号の説明】
【００８５】
10  ワイヤレスネットワーク
20  セルグループ
30  発展型ノードB
40  ユーザ機器
50  ネットワークコントローラ
200  LTE MIMOシステム
210  送信機システム
212  データソース
214  送信データプロセッサ
220  送信MIMOプロセッサ
222  送信機
224  アンテナ
230  プロセッサ
232  メモリ
236  データソース
238  Txデータプロセッサ
240  復調器
242  Rxデータプロセッサ
250  受信機システム
252  アンテナ
254  受信機
260  Rxデータプロセッサ
270  プロセッサ
272  メモリ
280  変調器
300  システム
310  アクセス端末
312  送信アンテナチェーン
314  チャネル決定ユニット
315  ハードウェア決定ユニット
316  電力決定ユニット
317  ハードウェア割振りコントローラ
318  動作モードコントローラ
320  アクセスポイント
322  受信アンテナチェーン
502  プロセッサ
503  トランシーバ
504  メモリ
505  ネットワークインターフェース
702  プロセッサ
703  トランシーバ
704  メモリ
705  ネットワークインターフェース
【図１】
2017511644.tif 000003
【図２】
2017511644.tif 000004
【図３】
2017511644.tif 000005
【図４】
2017511644.tif 000006
【図５】
2017511644.tif 000007
【図６】
2017511644.tif 000008
【図７】
2017511644.tif 000009
【国際調査報告】
2017511644.tif 000010
2017511644.tif 000011
2017511644.tif 000012
2017511644.tif 000013
2017511644.tif 000014